(57)【特許請求の範囲】
【請求項１】
走行車輪（２）が配設されたフレーム（３）と、  該フレーム（３）上に設けられ、薬剤等の収容材料を投入するための投入口（６ａ）が上部に形成されたタンク（６）と、  該タンク（６）の投入口（６ａ）に合わせた位置に前記フレーム（３）から固定手段（１１）を介して外方に向かって突設されたガイド部材（１２）と、  該ガイド部材（１２）に沿って進退可能に摺動支持される踏み台をなすステップ部材（１３）とを備え、前記ステップ部材（１３）は、摺動可能にその重量を支える摺動支持部（１４）と、該摺動支持部（１４）の後端で前記ステップ部材（１３）の進出位置にてその後退動作を阻止する段差部（１５）とを備えたことを特徴とする走行台車。
【請求項２】
前記ステップ部材（１３）は、その後退時において車幅方向のほぼ制限寸法範囲内に構成されたことを特徴とする請求項１記載の走行台車。
【請求項３】
前記ガイド部材（１２）は、前記ステップ部材（１３）の進出位置で該ステップ部材（１３）の進出動作が阻止される抜け止め手段（１２ａ）を備えたことを特徴とする請求項１又は請求項２記載の走行台車。
【請求項４】
前記ガイド部材（１２）又は前記抜け止め手段（１２ａ）と前記ステップ部材（１３）との間に、該ステップ部材（１３）がその後退位置で係脱可能に拘束される弾性キャッチャ（１９）を備えたことを特徴とする請求項３記載の走行台車。
【請求項５】
前記ガイド部材（１２）には、その先端部の内側を開放する切欠き（１２ｂ）を備えたことを特徴とする請求項１〜４のいずれか１項に記載の走行台車。
【発明の詳細な説明】
【０００１】
【発明の属する技術分野】
本発明は走行台車に係わり、特に、作業機、荷室等の搭載物の搭載領域を害することなく、ステップの設置に要する車幅方向寸法および最低地上高寸法が確保され、かつ、任意の位置における搭載物に関する高所作業が可能となる簡易な構成の走行台車に関する。
【０００２】
【従来の技術】
薬剤散布用のタンクを備えた動力噴霧機等の搭載物を搭載して走行するスピードスプレーヤ等の作業車両において、タンク上部の投入口から薬剤を投入する場合等の搭載物の上部の作業のために、昇降用の固定式ステップ、踏み台等を備えるものが、従来、知られている。
【０００３】
上記作業車両は、必要な搭載物とともに、車両走行上、最大車幅および最低地上高を確保する必要がある他、特にスピードスプレーヤは、棚造りの下や、樹木間の走行の障害にならないように、車幅方向寸法と車高寸法とを小さく構成し、かつ、樹木の枝や実の引っ掛かり防止のため突出物は取付けることができないという制約がある。また、タンク上部の投入口に薬剤を注入する際はタンクの側部位置の作業が必要となる。
【０００４】
これらの制約の下で、作業車両に高所作業用のステップ等を設けるには、そのスペースをなるべく小さく抑える必要があるので、例えば、配置が限定される固定式のものに代えて、実公平４−２９８７９号公報のように可動式に構成した例がある。
上記公報のものは、走行車輪によって懸架支持されたフレームと、このフレーム上に設けたタンクおよび動力噴霧機等を備え、タンクの近傍に回動軸を介して開閉可能に収納しうるヒンジ式の踏み台を備える。
【０００５】
この踏み台を開くことにより、タンク上部の投入口に薬剤を注入する際の高所作業を能率よく処理することができ、また、踏み台を閉じることにより、走行条件を確保して薬剤等の走行散布を進めることができる。
【０００６】
また、作業機の機能上、固定配置できない場合がある。例えば、特開平１０−２８６０５４号公報に示されるように、作業者が乗降時に使用するはしご状のステップを回動可能に設けた例がある。
【０００７】
【発明が解決しようとする課題】
しかしながら、上記作業車両の回動収容可能な踏み台、ステップ等は、ヒンジ軸を中心に回動するための空間を必要とする。したがって、タンク下部の車側部に配置して上方に回動収納するには、ステップ等を回動するためにタンクの一部に凹部を形成せざるを得ない。このため、搭載物との配置調整を含め、構成の複雑化を避けることができない。
【０００８】
また、上記踏み台等を下方に回動するように構成した場合も、回動のスペースを要するとともに、車両の最低地上高を確保する必要から、配置上の制約が避けられない。
すなわち、回動式の踏み台・ステップによっては、搭載物領域を害することなく、車幅方向寸法と最低地上高を確保し、かつ、搭載物との関係で必要な任意の位置に配置するという総ての条件を満たすことは困難である。
【０００９】
なお、この問題は、上述の作業車両に限らず、輸送用の荷室等を搭載する走行台車にあって、搭載物に関する高所作業を要するもの一般に共通するものである。
【００１０】
本発明はこのような従来の課題に鑑みてなされたもので、作業機、荷室等の搭載物の搭載領域を害することなく、ステップの設置に要する車幅方向寸法および最低地上高寸法が確保され、かつ、任意の位置における搭載物に関する高所作業が可能となる簡易な構成の走行台車を提供することを目的とする。
【００１１】
【課題を解決するための手段】
このため本発明の走行台車（１）は、走行車輪（２）が配設されたフレーム（３）と、該フレーム（３）上に設けられ、薬剤等の収容材料を投入するための投入口（６ａ）が上部に形成されたタンク（６）と、該タンク（６）の投入口（６ａ）に合わせた位置に前記フレーム（３）から固定手段（１１）を介して外方に向かって突設されたガイド部材（１２）と、該ガイド部材（１２）に沿って進退可能に摺動支持される踏み台をなすステップ部材（１３）とを備えたことを特徴とする。
【００１２】
上記走行台車（１）のステップ部材（１３）は、フレーム（３）から突設されたガイド部材（１２）に沿って進退可能に摺動支持されることから、ステップ部材（１３）を外方に引き出すことによってフレーム（３）の高さの作業台として機能する。したがって、上記構成の走行台車（１）は、高所作業が可能となるステップ装置を最小限度のスペースで簡易に構成することがきる。
【００１３】
また、上記走行台車（１）は、ステップ部材（１３）が上記所定位置にあることから、散布液等を投入口（６ａ）からタンク（６）に投入し、または、水と薬剤をタンク（６）内で調合する場合等の搭載物に関する高所作業の際に、ステップ部材（１３）の上に乗って容易に作業することができる。
【００１４】
更に、本発明の走行台車（１）は、前記ステップ部材（１３）が、その後退時において車幅方向のほぼ制限寸法範囲内に構成されたことを特徴とする。
【００１５】
上記走行台車（１）は、ステップ部材（１３）を収納することにより、車幅方向のほぼ制限寸法範囲内にステップ部材（１３）を構成することが出来る。
【００１６】
したがって、上記走行台車（１）は、簡易な構成により、搭載物（６）の搭載領域を減ずることなく、外方および下方への突出を回避して走行条件が確保され、支障なく走行することが出来る。
【００１７】
更に、本発明の走行台車（１）は、前記ガイド部材（１２）に、前記ステップ部材（１３）の進出位置で該ステップ部材（１３）の進出動作が阻止される抜け止め手段（１２ａ）を備えたことを特徴とする。
【００１８】
上記走行台車（１）は、ステップ部材（１３）を車側外方に引き出した時の不用意な脱落が防止され、ガイド部材（１２）により確実にステップ部材（１３）が保持される。
【００１９】
更に、本発明の走行台車（１）は、前記ガイド部材（１２）又は前記抜け止め手段（１２ａ）と前記ステップ部材（１３）との間に、該ステップ部材（１３）がその後退位置で係脱可能に拘束される弾性キャッチャ（１９）を備えたことを特徴とする。
【００２０】
上記走行台車（１）は、弾性キャッチャ（１９）によってステップ部材（１３）がその後退位置で拘束されることから、ステップ部材（１３）が不用意に飛び出すことなく、安定した車両走行が可能となる上に、走行中の振動や騒音が防止される。また、抜け止め手段（１２ａ）を利用して弾性キャッチャ（１９）を構成した場合は、構成が簡易化される。
【００２１】
更に、本発明の走行台車（１）は、前記ステップ部材（１３）が、摺動可能にその重量を支える摺動支持部（１４）と、該摺動支持部（１４）の後端で前記ステップ部材（１３）の進出位置にてその後退動作を阻止する段差部（１５）とを備えたことを特徴とする。
【００２２】
上記走行台車（１）は、ステップ部材（１３）を段差部（１５）まで車側外方に引き出した時に、段差部（１５）によってステップ部材（１３）の後退が阻止される。したがって、ステップ部材（１３）の不用意な後退が防止され、安定した作業が可能となる。また、前記抜け止め手段（１２ａ）を合わせた場合は、ステップ部材（１３）が進出位置で固定されるので、より安定した作業が可能となる。
【００２３】
更に、本発明の走行台車（１）は、前記ガイド部材（１２）に、その先端部の内側を開放する切欠き（１２ｂ）を備えたことを特徴とする。
【００２４】
上記走行台車（１）は、そのガイド部材（１２）の先端部の内側が切欠き（１２ｂ）によって広く開放されていることから、ステップ部材（１３）の前端（１７）を手指等により掴んだまま押し込んだ場合でも、ガイド部材（１２）の先端部に触れることなく、ステップ部材（１３）を後退位置に収納することが出来る。
【００２５】
【発明の実施の形態】
以下、本発明の実施形態について説明する。本発明の走行台車によるスピードスプレーヤの構成例を示す全体構成図を図１に示す。
図１において、スピードスプレーヤ１は、走行車輪２、２によって懸架支持されたフレーム３、このフレーム３上に設けた搭載物等を備えた走行台車をなす。
【００２６】
このスピードスプレーヤの例における搭載物は、キャビン４の他に、薬剤等を散布する動力噴霧機５とその噴霧液を注入するための投入口６ａを上部に備えた散布液用のタンク６等である。
上記スピードスプレーヤ１のフレーム３の両側方若しくはその一方に、このタンク６の投入口６ａの位置に合わせてその直下にステップ装置７を配置する。
【００２７】
図２はステップ装置の構成例を示す分解斜視図である。
ステップ装置７は、タンク６の車幅方向範囲内でフレーム３から溶接等の固定手段１１を介して外方に向けて突設された一対のガイド部材１２、１２と、このガイド部材１２、１２に沿って進退可能に摺動支持される略箱体状踏み台をなすステップ部材１３とから構成される。
【００２８】
ガイド部材１２、１２は、ステップ部材１３をその両側から案内するための略コの字状断面をなし、その先端部を広く開放するべく、内角部に大きく面取り１２ｂ、１２ｂを形成する。また、ステップ部材１３の進出を規制する抜け止め手段として、かつ、ガイド部材１２、１２の案内路寸法を調整するための固定ボルト１２ａ、１２ａがステップ部材１３の進出位置に合わせて設けられる。
【００２９】
ステップ部材１３は矩形枠状に構成され、その前端部１７とその近傍の並列部１７ａとが並べられる。これら前端部１７および並列部１７ａは、利用者の足裏の一部のみを受ける足受け部材として機能する間隔がとられ、両者の間には、異物を下方に排出するように上下方向に貫通する開口１６が形成される。また、前端部１７と並列部１７ａの上面には、凹凸状の滑り止め１８、１８が形成されている。
【００３０】
上記並列部１７ａには、ガイド部材１２、１２側の固定ボルト１２ａ、１２ａに対してステップ部材１３がその後退位置で係脱可能に拘束されるように、後述の図４に示すように、スプリングアクションによって係脱可能に接続可能な弾性キャッチャ１９、１９が取り付けられる。
【００３１】
ステップ部材１３の両側部１３ｂ、１３ｂには、ガイド部材１２、１２に対して摺動可能にその重量を支える摺動支持部１４、１４と、その後端で前記ステップ部材１３の進出位置でその後退動作を阻止する段差部１５、１５とが形成される。
【００３２】
ステップ部材１３の後端部１３ａは、ガイド部材１２、１２側の固定ボルト１２ａ、１２ａに当接してその進出位置を規定する。
【００３３】
上記ステップ装置７は、ステップ部材１３をガイド部材１２、１２に嵌め込み、その後端部１３ａをフレーム３の近傍まで押し込んでから上記固定ボルト１２ａ、１２ａをガイド部材１２、１２に固定することにより組み付ける。
【００３４】
上記構成のステップ装置の動作について以下に説明する。
図３は図２のステップ装置の収納状態を示す斜視図、図４は同じく収納状態を示す部分破断平面図である。
【００３５】
ステップ装置７のステップ部材１３をガイド部材１２、１２内に押し込むと、その後退位置において、ステップ部材１３と固定ボルト１２ａ、１２ａとが弾性キャッチャ１９、１９を介して弾性的に接続され、ステップ部材１３が拘束される。
【００３６】
ステップ装置７の進退方向の最小構成長さ、たとえば、ガイド部材１２、１２の長さＬの範囲内にステップ部材１３を構成した場合は、ガイド部材１２、１２の長さＬをタンク６の車幅方向範囲内に形成し、ステップ部材１３をガイド部材１２、１２中に収納することにより、ステップ装置７は、タンク６の側面から突出することなく、かつ、フレーム３の高さ範囲内にあって走行台車の最低地上高を侵すことなく、最小限度のスペース内に構成することが出来る。
【００３７】
また、ステップ部材１３は弾性キャッチャ１９、１９によってその後退位置に拘束されていることから、走行台車は、不用意なステップ部材１３の飛び出しを回避して走行することが出来るとともに、振動や異音の発生を抑えることが出来る。
【００３８】
図５は図２のステップ装置の使用状態を示す斜視図、図６は同じく使用状態を示す平面図、図７は図６のＡ矢視図である。
ステップ装置７は、弾性キャッチャ１９、１９の拘束力を超える力でステップ部材１３を引き出すと、その後端部１３ａが進出位置で固定ボルト１２ａ、１２ａと当接し、その進出動作が規制される。
【００３９】
この引き出し動作においては、ステップ部材１３とガイド部材１２、１２との間の当接がステップ部材１３の両側の摺動支持部１４、１４に限定されることから、ガイド部材１２、１２ステップ部材１３を引き出す際又は押し込むの摩擦力が低減される。
【００４０】
ステップ部材１３の進出位置においては、ステップ部材１３の両側の摺動支持部１４、１４がガイド部材１２、１２から飛び出し、後部の段差部１５、１５によってステップ部材１３の自重が支持されることにより、その後退動作が阻止される。
【００４１】
したがって、ステップ部材１３は、上記固定ボルト１２ａ、１２ａによる抜け止め手段によって進出動作が規制されるとともに、段差部１５、１５によって後退動作が規制されるので、ステップ部材１３は安定した踏み台として機能する。
【００４２】
このようにして、ステップ部材１３の前端部１７と並列部１７ａにより、タンク６からその外方にスライド長さＳを突出した進出位置で、フレーム３の高さ位置に安定した踏み台が形成される。
【００４３】
ステップ部材１３に作業者の足を受ける際は、ステップ部材１３の滑り止め１８によって安定支持が確保されるとともに、異物は滞留することなく開口１６から下方に排出される。上記ステップ部材１３を利用することにより、タンク６上部の投入口６ａに薬剤等を投入するような高所作業を安定して処理することが出来る。
【００４４】
ステップ部材１３を収納する際は、ステップ部材１３の段差部１５、１５を浮かせるべく前端部１７等を引き上げつつ奥に押し込むことにより、ステップ部材１３は前述の弾性キャッチャ１９、１９によって後退位置に拘束され、前述のように収納することが出来る。
【００４５】
上記ステップ装置７は、在来の走行台車についても後付けによって適用することが出来る。
なお、上述の走行台車のステップ装置７は、上記構成のほかに、フレーム３からその後方に配置する場合についても、同様に適用できることが明らかなので、その説明は省略する。
【００４６】
次に、本発明の第２の実施形態について説明する。第２の実施形態に係るステップ装置の平面図を図８に示す。
なお、図１または図２と同一要素のものについては同一符号を付して説明は省略する。
【００４７】
ステップ装置２１は、ガイド部材１２、１２をベースプレート２２上に溶接等により固着構成される。このベースプレート２２には、フレーム３側に設けたスタッドボルト２３、２３と対応する位置に穴が形成されている。
【００４８】
スタッドボルト２３、２３を介してベースプレート２２をフレーム３に締結することにより、走行台車に対してステップ装置２１を着脱可能に装着することができる。
したがって、上記ステップ装置２１は、組み付け調整やメンテナンスに際して走行台車から分離して効率的に作業することが出来る。
【００４９】
なお、上述のステップ装置２１は、複数段に配置することにより、最小限度のスペースで高所まで昇降可能なはしご状に構成してもよい。
【００５０】
【発明の効果】
以上説明したように本発明によれば、タンク（６）を搭載したフレーム（３）からガイド部材（１２）を突設し、このガイド部材（１２）に沿って進退可能に摺動支持される踏み台をなすステップ部材（１３）を走行台車（１）に備えたことから、上記走行台車（１）は、ステップ部材（１３）を外方に引き出すことによってフレーム（３）の高さの作業台として機能する。したがって、本発明の走行台車（１）は、高所作業が可能となるステップ部材（１３）を最小限度のスペースで簡易に構成することがきる。
【００５１】
また、上記走行台車（１）は、ステップ部材（１３）が所定位置にあることから、散布液等を投入口（６ａ）からタンク（６）に投入し、または、水と薬剤をタンク（６）内で調合する場合等の搭載物に関する高所作業の際に、ステップ部材（１３）の上に乗って容易に作業することができる。
【図面の簡単な説明】
【図１】本発明の走行台車によるスピードスプレーヤの構成例を示す全体構成図
【図２】ステップ装置の構成例を示す分解斜視図
【図３】図２のステップ装置の収納状態を示す斜視図
【図４】図２のステップ装置の収納状態を示す部分破断平面図
【図５】図２のステップ装置の使用状態を示す斜視図
【図６】図２のステップ装置の使用状態を示す平面図
【図７】図６のＡ矢視図
【図８】本発明の第２の実施形態に係るステップ装置の平面図
【符号の説明】
１  スピードスプレーヤ（走行台車）
２  走行車輪
３  フレーム
６  タンク
６ａ  投入口
７、２１  ステップ装置
１１  固定手段
１２  ガイド部材
１３  ステップ部材
１２ａ  固定ボルト（抜け止め手段）
１３ｂ  両側部
１４  摺動支持部
１５  段差部
１６  開口
１７  前端部
１７ａ  並列部
１８  滑り止め
１９  弾性キャッチャ
２２  ベースプレート
２３  スタッドボルト
Ｌ  収納寸法
Ｓ  突出寸法
【図１】
0003761073.tif 000002
【図２】
0003761073.tif 000003
【図３】
0003761073.tif 000004
【図４】
0003761073.tif 000005
【図５】
0003761073.tif 000006
【図６】
0003761073.tif 000007
【図７】
0003761073.tif 000008
【図８】
0003761073.tif 000009